(57)【要約】【課題】  運搬、組付けなどの取扱い、施工が容易であるとともに、壁材として土壁を用いることができる建築用ユニット壁体を提供すること。【解決手段】  ユニット枠体４と、ユニット枠体４内に配設された断熱部材２０と、ユニット枠体４の片側に取り付けられた複数の板状部材２２と、ユニット枠体４及び断熱部材２０と複数の板状部材２２との間に介在された透湿防水性シートと、複数の板状部材２２の表面側に取り付けられたプレート状壁体２６と、を備えた建築用ユニット壁体。プレート状壁体２６には複数の開口が設けられ、複数の開口には外側に突出するリブが設けられている。プレート状壁体２６の表面側に壁土が塗られ、塗られた壁土の一部は複数の開口を通してプレート状壁体２６と断熱部材２０との間の空間に塗り込まれて支持され、プレート状壁体は土壁と一体となって建築物の外壁を構成する。【選択図】  図２
2006097454.tif 000002
【特許請求の範囲】
【請求項１】
ユニット枠体と、前記ユニット枠体内の実質上全域に配設された断熱部材と、前記ユニット枠体の片側に所定の間隔をおいて取り付けられた複数の板状部材と、前記ユニット枠体及び前記断熱部材と前記複数の板状部材との間に介在された透湿防水性シートと、前記複数の板状部材の表面側に取り付けられたプレート状壁体と、を備えており、
前記ユニット枠体は建築物の隣接する柱間に取り付けられ、前記プレート状壁体には複数の開口が設けられ、前記複数の開口の少なくとも大部分に関連して外側に突出するリブが設けられており、
前記プレート状壁体の表面側に壁土が塗られ、塗られた壁土の一部は前記複数の開口を通して前記プレート状壁体と前記断熱部材との間の空間に塗り込まれるとともに、この壁土は前記複数の開口及び前記リブによって支持され、前記プレート状壁体は土壁と一体となって建築物の外壁を構成することを特徴とする建築用ユニット壁体。
【請求項２】
前記ユニット枠体は矩形状であり、前記ユニット枠体の一対の横部材には、その一対の縦部材間にて上下方向に延びる間柱が接続され、また前記ユニット枠体の対向する隅部には、斜め方向に延びる筋違が接続されており、前記断熱部材は前記ユニット枠体の前記一対の縦部材、前記一対の横部材、前記間柱及び前記筋違により規定される空間に配設されていることを特徴とする請求項１に記載の建築用ユニット壁体。
【請求項３】
前記複数の板状部材、前記透湿防水性シート及び前記プレート状壁体は、前記ユニット枠体から幾分外側に突出していることを特徴とする請求項１又は２に記載の建築用ユニット壁体。
【請求項４】
ユニット枠体と、前記ユニット枠体内の実質上全域に配設された断熱部材と、前記ユニット枠体の片側に取り付けられたプレート状壁体と、を備えており、
前記ユニット枠体は建築物の隣接する柱間に取り付けられ、前記プレート状壁体には複数の開口が設けられ、前記複数の開口の少なくとも大部分に関連して外側に突出するリブが設けられ、前記断熱部材には前記プレート壁体の前記複数の開口及び前記リブに関連して凹溝が設けられており、
前記プレート状壁体の表面側にセメントモルタルが塗られ、塗られたセメントモルタルの一部は前記複数の開口を通して前記断熱部材の前記凹溝内に塗り込まれるとともに、このセメントモルタルは前記複数の開口及び前記リブによって支持され、前記プレート状壁体はセメントモルタルと一体となって建築物の外壁を構成することを特徴とする建築用ユニット壁体。
【請求項５】
前記ユニット枠体及び前記断熱部材には、両者間にわたって防水処理が施されていることを特徴とする請求項４に記載の建築用ユニット壁体。
【発明の詳細な説明】
【技術分野】
【０００１】
本発明は、和風家屋などの建築物の壁体として用いる建築用ユニット壁体に関する。
【背景技術】
【０００２】
従来の和風家屋では、外壁が土壁から構成されている。この土壁は、吸湿作用、放湿作用によって室内の湿度を調整する機能を有し、多湿環境の日本に非常に適した壁体である。この土壁をつくるには、まず、割った細長い竹を建造物の柱間（土壁を作る部分）に縄などで結びながら網目状に設け、この網目状の竹に壁土を塗り込んでつくっている。しかし、竹を割って網目状に結ぶ作業は手間と熟練を要し、それ故に、近年においては、和風建築においても土壁を採用することが少なくなっている。
【０００３】
一方、網目状の竹に代えてプレート状壁体を用いたものも知られている（例えば、特許文献１参照）。このユニット壁体は、アングル材から構成されたユニット枠体と、ユニット枠体に取り付けられた内壁用枠及び外壁用枠とを備え、内壁用枠に多数の開口が設けられたプレート状壁体が設けられ、外壁用枠にラス網が設けられ、プレート状壁体とラス網との間に断熱部材が介在されている。このようなユニット壁体では、型枠を用いて内側用枠内に例えばセメントモルタルを流し込むことによって、プレート状壁体と一体的な内壁が形成され、また型枠を用いて外側用枠内に例えばセメントモルタルを流し込むことによって、ラス網と一体的な外壁が形成され、このように形成された建築用壁体が建築物の柱間に取り付けられる。
【０００４】
【特許文献１】特開平９−２９６５３１号公報
【発明の開示】
【発明が解決しようとする課題】
【０００５】
上述した建築用壁体では、壁体自体がユニットとして構成されるために、建築現場への運搬、建築物への組付けなどが容易であり、また土壁などを用いていないので工期も短くすることができるなどのメリットがあるが、内壁及び外壁がセメントモルタルなどから形成されているために、吸湿作用、放湿作用がほとんどなく、室内の湿度が高くなると窓、壁面等に結露が発生するという問題がある。
【０００６】
本発明の目的は、運搬、組付けなどの取扱い、施工が容易であるとともに、壁材として土壁を用いることができる建築用ユニット壁体を提供することである。
また、本発明の他の目的は、運搬、組付けなどの取扱い、施工が容易であるとともに、壁材としてセメントモルタルを用いることができる建築用ユニット壁体を提供することである。
【課題を解決するための手段】
【０００７】
本発明の請求項１に記載の建築用ユニット壁体は、ユニット枠体と、前記ユニット枠体内の実質上全域に配設された断熱部材と、前記ユニット枠体の片側に所定の間隔をおいて取り付けられた複数の板状部材と、前記ユニット枠体及び前記断熱部材と前記複数の板状部材との間に介在された透湿防水性シートと、前記複数の板状部材の表面側に取り付けられたプレート状壁体と、を備えており、
前記ユニット枠体は建築物の隣接する柱間に取り付けられ、前記プレート状壁体には複数の開口が設けられ、前記複数の開口の少なくとも大部分に関連して外側に突出するリブが設けられており、
前記プレート状壁体の表面側に壁土が塗られ、塗られた壁土の一部は前記複数の開口を通して前記プレート状壁体と前記断熱部材との間の空間に塗り込まれるとともに、この壁土は前記複数の開口及び前記リブによって支持され、前記プレート状壁体は土壁と一体となって建築物の外壁を構成することを特徴とする。
【０００８】
また、本発明の請求項２に記載の建築用ユニット壁体では、前記ユニット枠体は矩形状であり、前記ユニット枠体の一対の横部材には、その一対の縦部材間にて上下方向に延びる間柱が接続され、また前記ユニット枠体の対向する隅部には、斜め方向に延びる筋違が接続されており、前記断熱部材は前記ユニット枠体の前記一対の縦部材、前記一対の横部材、前記間柱及び前記筋違により規定される空間に配設されていることを特徴とする。
【０００９】
また、本発明の請求項３に記載の建築用ユニット壁体では、前記複数の板状部材、前記透湿防水性シート及び前記プレート状壁体は、前記ユニット枠体から幾分外側に突出していることを特徴とする。
【００１０】
また、本発明の請求項４に記載の建築用ユニット壁体は、ユニット枠体と、前記ユニット枠体内の実質上全域に配設された断熱部材と、前記ユニット枠体の片側に取り付けられたプレート状壁体と、を備えており、
前記ユニット枠体は建築物の隣接する柱間に取り付けられ、前記プレート状壁体には複数の開口が設けられ、前記複数の開口の少なくとも大部分に関連して外側に突出するリブが設けられ、前記断熱部材には前記プレート壁体の前記複数の開口及び前記リブに関連して凹溝が設けられており、
前記プレート状壁体の表面側にセメントモルタルが塗られ、塗られたセメントモルタルの一部は前記複数の開口を通して前記断熱部材の前記凹溝内に塗り込まれるとともに、このセメントモルタルは前記複数の開口及び前記リブによって支持され、前記プレート状壁体はセメントモルタルと一体となって建築物の外壁を構成することを特徴とする。
【００１１】
また、本発明の請求項５に記載の建築用ユニット壁体では、前記ユニット枠体及び前記断熱部材には、両者間にわたって防水処理が施されていることを特徴とする。
【発明の効果】
【００１２】
本発明の請求項１に記載の建築用ユニット壁体によれば、ユニット枠体の片側に間隔をおいて複数の板状部材が取り付けられ、これら板状部材にプレート状壁体が取り付けられ、このプレート状壁体に壁土が塗られるので、壁材として土壁を用いた建築用壁体として提供することができる。また、ユニット枠体内に配設される断熱部材と複数の板状部材との間に透湿防水性シートが介在されるので、壁材として土壁を用いることにも関連し、壁体自体が透湿性（湿気を通す特性）及び防水性（水を通さない特性）を有するものとなり、これによって、室内の湿度が高くなって結露が発生するのを抑えることができるとともに、外部から内側への雨などの水の侵入を防止することができる。また、プレート状壁体には複数の開口が設けられ、これらの開口の少なくとも大部分に関連してリブが設けられているので、プレート状壁体に塗った壁土はこれら開口を通してプレート状壁体と断熱部材との間の空間に塗り込まれるとともに、これら開口及びリブによって支持され、塗られた土壁は建築物の外壁を構成し、外壁材が土壁としての建築用ユニット壁体を提供することができる。
【００１３】
また、本発明の請求項２に記載の建築用ユニット壁体によれば、矩形状のユニット枠 体の一対の横部材には上下方向に延びる間柱が接続され、またこのユニット枠体の対向する隅部には斜め方向に延びる筋違が接続されているので、これら間柱及び筋違によってユニット壁体の強度を高めることができる。
【００１４】
また、本発明の請求項３に記載の建築用ユニット壁体によれば、複数の板状部材、透湿防水性シート及びプレート状壁体は、ユニット枠体から幾分外側に突出しているので、例えば建築物の柱（例えば、通柱、管柱）の両側にユニット壁体を取り付けると、隣接する一対のユニット壁体のユニット枠体から突出している部分（板状部材、透湿防水性シート及びプレート状壁体）がこの柱の外側にて近接乃至接触するようになる。従って、多数のユニット壁体を建築物に所要に取り付けると、それらの板状部材、透湿防水性シート及びプレート状壁体はこの建築物の外壁面の実質上全域を覆うようになり、これによって、建築物の外壁面の全体を壁土できれいに塗ることができるとともに、塗った壁土を確実に支持することができる。
【００１５】
また、本発明の請求項４に記載の建築用ユニット壁体によれば、断熱部材が配設されたユニット枠体の片側にプレート状壁体が取り付けられ、このプレート状壁体にセメントモルタルが塗られるので、壁材としてセメントモルタルを用いた建築用壁体として提供することができる。また、プレート状壁体には複数の開口が設けられ、これらの開口の少なくとも大部分に関連してリブが設けられているとともに、断熱部材にはこれら開口及びリブに関連して凹溝が設けられているので、プレート状壁体に塗ったセメントモルタルはこれら開口を通して断熱部材の凹溝内に塗り込まれるとともに、これら開口及びリブによって支持され、塗られたセメントモルタルは建築物の外壁を構成し、外壁材がセメントモルタルとしての建築用ユニット壁体を提供することができる。
【００１６】
また、本発明の請求項５に記載の建築用ユニット壁体によれば、ユニット枠体及び断熱部材には、両者間にわたって防水処理が施されているので、ユニット枠体及び断熱部材間の隙間を通して雨水が内部に浸入するのを防止することができる。尚、防水処理として、ユニット枠体と断熱部材との間にわたって透湿防水性シートを設けるようにしてもよく、或いはこれらの間にわたって防水性塗装を施すようにしてもよい。
【発明を実施するための最良の形態】
【００１７】
以下、添付図面を参照して、本発明に従うユニット壁体の実施形態について説明する。まず、図１〜図６を参照して、第１の実施形態のユニット壁体について説明する。図１は、第１の実施形態のユニット壁体を示す正面図であり、図２は、図１のユニット枠体の背面図であり、図３は、図１におけるＩＩＩ−ＩＩＩ線による断面図であり、図４は、図１のユニット壁体のプレート状壁体として用いる固定プレートを示す図であり、図５は、図１のユニット壁体のプレート状壁体として用いる調整プレートを示す図であり、図６は、図１のユニット壁体を建築物に取り付けた状態を簡略的に示す図である。
【００１８】
図１及び図２において、図示のユニット壁体２は矩形状のユニット枠体４を備え、このユニット枠体４は、横方向（図１及び図２において左右方向）に間隔をおいて配設された一対の縦部材６，８と、縦方向（図１及び図２において上下方向）に間隔をおいて配設された一対の横部材１０，１２とから構成され、これら縦部材６，８及び横部材１０，１２の両端部が釘などによって固定されている。この実施形態では、ユニット枠体４の強度を大きくするために、相互に対向するユニット枠体４の隅部に筋違１４が固定され、筋違１４は斜め方向に延びている。また、一対の縦部材６，８間に間柱１６が配設され、一対の横部材１０，１２に固定されている。この形態では、間柱１６が筋違１４により上下に分割され、上柱部１４ａが上側の横部材１０と筋違１４との間に固定され、下柱部１４ｂが下側の横部材１２と筋違１４との間に固定されている。縦部材６，８、横部材１０，１２、筋違１４及び間柱１６は木材から形成される。
【００１９】
図３をも参照して、ユニット枠体４内には、実質上その全域にわたって、例えば発泡樹脂から形成された断熱部材２０が配設される。この形態では、ユニット枠体４内が筋違１４及び間柱１６によって仕切られるようになり、縦部材６，８、横部材１０，１２、筋違１４及び間柱１６によって規定される空間に断熱部材２０が配設され、このように構成することによって、ユニット壁体２に断熱効果を持たせることができる。
【００２０】
このユニット枠体４の片側、図３において左側には、縦方向（図１〜図３において上下方向）に間隔をおいて複数の板状部材２２が配設されている。これら板状部材２２は例えば木材から形成され、その両端部が釘などによって縦部材６，８に取り付けられる。板状部材２２とユニット枠体４との間には、透湿防水性シート２４が配設され、後述する如く例えば板状部材２２に取り付けられる（図１及び図２においては、この透湿防水性シート２４を省略している）。透湿防水性とは、湿気は透過するが、水は透過しない特性であり、このような特性を有するそれ自体周知のものを用いることができる。
【００２１】
板状部材２２の表面側（図３において左側）には、プレート状壁体２６が取り付けられる。プレート状壁体２６としては一枚のプレート状壁部材から構成してもよく、この実施形態のように複数、例えば４枚のプレート状壁部材２８，３０，３２，３４から構成するようにしてもよく、種々の大きさのユニット枠体４に対応するためには、この実施形態のように構成するのが望ましい。
【００２２】
この実施形態では、ユニット枠体４の上部には図４（ａ）及び（ｂ）に示す形態のプレート状壁部材２８，３０が取り付けられる。プレート状壁部材２８の一端部（図４（ａ）において右端部）には細長い矩形状の開口３６が設けられているとともに、この一端部を除く他の部分には複数の略正方形状の開口３８が設けられ、これら開口３８に関連して、その開口下端には外側、図３において左側に向けて斜め上方に突出する略半円状のリブ４０が設けられている。また、プレート状壁部材２８には、横方向（図４（ａ）において左右方向）に間隔をおいて複数（この形態では３つ）の補強用突条４２が設けられている。
【００２３】
プレート状壁部材２８と組み合わせて用いられるプレート状壁部材３０には、その一端部（図４（ｂ）において左端部）に帯状プレート部４４が設けられているとともに、この帯状プレート部４４を除く他の部分に、複数の略正方形状の開口４６が設けられ、これら開口４６に関連して、その開口下端には外側、図３において左側に向けて斜め上方に突出する略半円状のリブ４８が設けられ、更に横方向に間隔をおいて補強用突条５０が設けられている。
【００２４】
プレート状壁部材２８の一端部（矩形状開口３６が形成された部分）は重なり用スライド部分Ｌ１として機能し、図１に示すように、プレート状壁部材２８の重なり用スライド部分Ｌ１の表面側にプレート状壁部材３０の一端部が載置され、このプレート状壁部材３０を幅方向に位置調整することによって、プレート状壁体２の幅方向の大きさが調整される。
【００２５】
ユニット枠体４の下部には図５（ａ）及び（ｂ）に示す形態のプレート状壁部材５２，５４が取り付けられる。プレート状壁部材５２，５４は、上述したプレート状壁部材２８，３０よりも縦方向の長さが短く、プレート状壁体２６の縦方向の大きさを調整するために設けられる。プレート状壁部材５２，５４の上端部には細長い矩形状の開口５６，５８が設けられ、これら開口５６，５８が設けられている部分が、上下方向の重なり用スライド部分Ｈ１，Ｈ２として機能し、これら重なり用スライド部分Ｈ１，Ｈ２が上側のプレート状壁部材２８，３０の内側に配置され、プレート状壁部材５２，５４を縦方向（上下方向）に位置調整することによって、プレート状壁体２の縦方向の大きさが調整される。
【００２６】
プレート状壁部材５２，５４のその他の基本的構成は、上述したプレート状壁部材２８，３０と実質上同一であり、プレート状壁部材５２には、図５（ａ）に示すように、その一端部に矩形状の開口３６が設けられ、この一端部を除く他の部分に略正方形状の開口３８が設けられ、これら開口３８の開口下端に略半円状のリブ４０が設けられ、更に、プレート状壁部材２８の補強用突条４２に対応して、これら補強用突条４２に沿ってスライドする補強用突条４２が設けられている。また、プレート状壁部材５４には、図５（ｂ）に示すように、その一端部に帯状プレート部４４が設けられ、帯状プレート部４４を除く他の部分に略正方形状の開口４６が設けられ、これら開口４６の開口下端に略半円状のリブ４８が設けられ、更に、プレート状壁部材３０の補強用突条５０に対応して、これら補強用突条５０に沿ってスライドする補強用突条５０が設けられている。
【００２７】
これらプレート状壁部材２８，３０，５２，５４から構成されるプレート状壁体２６（図１〜図３においては、開口３６，３８，４６、リブ４０，４８及び補強用突条４２，５０を省略して示している）では、プレート状壁体２６の実質上全域に開口（略正方形状の開口３８，４６及び矩形状の開口３６，５６，５８）が設けられ、これら開口の大部分にリブ（半円状のリブ４０，４８）が設けられ、プレート状壁体２６とユニット枠体４及び断熱部材２０（これらは透湿防水性シート２６により覆われている）との間には、板状部材２２の厚さ分の空間が存在する。
【００２８】
このユニット壁体２は、例えば、次のようにして製作することができる。まず、複数の板状部材２４を所定方向に間隔をおいて配置し、次いでこれら板状部材２２の片面側（表面側）にプレート状壁体２６を載置し、釘などを打ち付けてプレート状壁体２６を板状部材２２に取り付ける。このとき、プレート状壁体２６の大きさを所望の大きさにするために、例えば、プレート状壁部材２８の対してプレート状壁部材３０を横方向に、プレート状部材５２を縦方向に、またプレート状部材５４を縦方向及び横方向に位置調整する。そして、プレート状壁体２６及び板状部材２２を裏返し、プレート状壁体２６を覆うように透湿防水性シート２４を載置し、このシート２４を例えばホッチキス針を用いて取り付ける。
【００２９】
一方、縦部材６，８及び横部材１０，１２によってユニット枠体４を形成し、このユニット枠体４に筋違１４及び間柱１６を取り付け、このように形成したユニット枠体４内の空間に断熱部材２０を取り付ける。
【００３０】
その後、ユニット枠体４及び断熱部材２０を透湿防水性シート２４で覆うように板状部材２及びプレート状壁体２６をユニット枠体４に載置し、釘などを打ち付けて板状部材２２をユニット枠体４に取り付け、このようにして図１〜図３に示すユニット壁体２を製作することができる。
【００３１】
このユニット壁体２の上述した製作方法は一例であり、例えば、断熱部材２０を備えたユニット枠体４を製作し、次いで透湿防水性シート２４を介在させて板状部材２２をユニット枠体４に取り付け、その後プレート状壁体２６をユニット枠体４に取り付けるようにしてもよい。
【００３２】
このようなユニット壁体２は、和風建築物、例えば和風家屋の壁体として好都合に適用することができ、プレート状壁体２６の表面（リブ４０，４８が突出する側）に土壁を塗ることができる。主として図６を参照して、このようなユニット壁体２は、例えば和風建築物の隣接する柱６２（例えば、通柱、管柱）の間に取り付けられ、プレート状壁体２６を建築物の外側となるようにし、建築物の外側からユニット枠体４が柱６２の空間に嵌め込まれ、釘などを用いて柱６２に固定される。例えば、和風建築物の１階部分に適用すると、ユニット壁体２の下側の横部材１２は、基礎６６に固定された土台６８の内側に嵌め込まれて土台６８に釘などで固定され、その上側の横部材１０は、２階部分を支持する胴差７０の内側に嵌め込まてこの胴差７０に釘などで固定される。
【００３３】
このユニット壁体２は、図６から理解されるように、建築物の隣接する柱６２間に取り付けられ、１階部分（２階部分、３階部分など）においては、柱６２の両側に一対のユニット壁体２が配設され、ユニット枠体４のプレート状壁体２６が建築物の壁体を構成する。このようなことから、板状部材２２、透湿防水性シート２４及びプレート状壁体２６はユニット枠体４よりも大きく形成し、それらの幅方向両側部がユニット枠体４の縦部材６，８よりも幾分外側に突出するようにするのが望ましく、このように構成することによって、図６に示すように、柱６２の表面にて横方向に隣接する一対のユニット壁体４の板状部材２２、透湿防水性シート２４及びプレート状壁体２６が近接乃至接触するようになる。また、板状部材２２、透湿防水性シート２４及びプレート状壁体２６の縦方向両端部がユニット枠体４の横部材１０，１２よりも幾分外側に突出するようにするのが望ましく、このように構成することによって、図６に示すように、胴差７０の表面にて上下方向に隣接する一対のユニット壁体４の板状部材２２、透湿防水性シート２４及びプレート状壁体２６が近接乃至接触するようになる。従って、このように構成することによって、ユニット壁体４が建造物の外面全域を覆うようになり、その外壁をきれいに仕上げることができる。
【００３４】
建造物にユニット壁体２を上述したように取り付けた後に、建造物の外面に露出しているプレート状壁体２６の表面に壁土を塗り、この壁土をプレート状壁体２６の開口（プレート状壁部材２８の開口３６，３８、プレート状壁部材３０の開口４６、プレート状壁部材５２の開口３６，３８，５６、プレート状部材５４の開口４６，５８）を通してその内側に塗り込むようにする。かくすると、壁土がこれら開口を通してプレート状壁体２６とユニット枠体４及び断熱部材２０との間の空間に入り込み、塗った壁土はこれら開口及びリブ４０，４８に支持されてプレート状壁体２６と一体的になって建築物の外壁を構成し、ユニット壁体２を用いて簡単な施工でもって土壁の外壁とすることができる。
【００３５】
尚、ユニット枠体２の内側には、例えば、内壁用ボード（図示せず）を取り付け、その表面に内装用クロス（図示せず）などを貼り付けて室内用内壁とすることができる。
上述したユニット壁体２は外壁として土壁を用いる和風建築物のユニット壁体として好都合に用いることができる。また、透湿防水性シート２４がプレート状壁体２６とユニット枠体４及び断熱部材２０との間に介在されているので、湿気の通過を許容するが、水の侵入を防止し、土壁の特徴を生かした湿気の調整を行うことができ、室内での結露発生なども少なくすることができる。
【００３６】
次に、図７〜図１０を参照して、ユニット壁体の第２の実施形態について説明する。図７は、第２の実施形態のユニット壁体を示す正面図であり、図８は、図７のユニット枠体の背面図であり、図９は、図７におけるＩＸ−ＩＸ線による断面図であり、図１０は、図７のユニット壁体のプレート状壁体及び断熱部材の一部を示す図であり、図１１は、断熱部材の一部を拡大して示す断面図である。尚、この実施形態において、第１の実施形態と実質上同一の部材には同一の参照番号を付し、その説明を省略する。
【００３７】
図７〜図９において、図示のユニット壁体２Ａは矩形状のユニット枠体４を備え、このユニット枠体４に筋違１４及び間柱１６が設けられ、これらユニット枠体４、筋違１４及び間柱１６は上述したと同様の構成である。このユニット枠体４内には、上述したと同様に、実質上その全域にわたって、例えば発泡樹脂から形成された断熱部材２０Ａが配設される。
【００３８】
このユニット枠体４の片側、図９において左側には、プレート状壁体２６が取り付けられる。プレート状壁体２６としては一枚のプレート状壁部材から構成してもよく、上述した実施形態と同様に、４枚のプレート状壁部材２８，３０，５２，５４（図４及び図５参照）から構成するようにしてもよく、種々の大きさのユニット枠体４に対応するためには、この実施形態のように構成するのが望ましい。
【００３９】
この実施形態では、プレート状壁体２６、即ちプレート状壁部材２８，３０，５２，５４に関連して、更に、次のように構成される。図１０及び図１１を参照してプレート状壁部材２８について説明すると、プレート状壁部材２８には矩形状開口３６及び略正方形状開口３８が設けられ、これら開口３６，３８は上下方向に所定の間隔をおいて配設され、略正方形状開口３６の開口下端には外側、図９において左側に向けて斜め上方に突出する略半円状のリブ４０が設けられている。この例では、６個の略正方形状開口３８と１個の矩形状開口３６が横方向（図１０において左右方向）に直線状に配置されて開口の組７２を構成し、かかる開口の組７２が上下方向に間隔をおいて配設されている。
【００４０】
また、断熱部材２０Ａには、各開口の組７２に対応して、その対向する面（図９において左面）に凹溝７４が設けられている。この凹溝７４は、断熱部材２０Ａの一側端から他側端まで直線状に延び、その上側縁７６は開口の組７２の略正方形状開口３８の上端部近傍に位置し、その下側縁７８は略正方形状開口３８の下端部又はその幾分下方に位置している。このように構成することによって、プレート状壁部材２８と断熱部材２０Ａとの間に、この凹溝７４によって収容空間が規定される。断熱部材２０Ａのこのような凹溝７４は、他のプレート状壁部材３２，５２，５４（図４及び図５参照）の矩形状開口３６，５６，５８及び略正方形状開口３８，４６の開口の組に対応しても同様に設けられ、このようにしてプレート状壁体２６の複数の開口（矩形状開口３６，５６，５８及び略正方形状開口３８，４６）に対応して断熱部材２０Ａの凹溝７４が設けられる。
【００４１】
断熱部材２０Ａの凹溝７４は、底面側（図１１において右側）に向けて拡大するように構成するのが望ましく、この形態では、図１１に示すように、凹溝７４の一側面が底面に向けて外側（図１１において上側）に直線状に延び、その他側面が底面に向けて外側（図１１において下側）に直線状に延びている。尚、この凹溝７４は、後のに説明から理解されるように、セメントモルタルが塗り込まれる、プレート状壁部材３０（３２，５４，５６）のリブ４０（４８）側に位置する他側面が外側に拡大するするように構成するのみでよく、このように構成することによって、後述する所望の効果が達成される。
【００４２】
このユニット壁体２Ａの防水性を高めるために、ユニット枠体４及び断熱部材２０Ａに、両者間にわたって防水処理を施すのが好ましい。防水処理としては、例えば、ユニット枠体４（縦部材６，８及び横部材１０，１２）及び断熱部材２０Ａの間の隙間を被うように透水防水性シート８２（第１の実施形態と同様のシート）（図７において、その一部を示す）を貼着するようにしてもよく、或いはユニット枠体４及び断熱部材２０Ａの間の隙間並びにこの隙間の周囲に防水性塗料を塗装するようにしてもよく、このように防水処理することによって、雨水などがユニット壁体２Ａを通して内部に侵入するのを防止することができる。
【００４３】
このような防水処理は、更に、筋違１４及び断熱部材２０Ａの間の隙間、並びに間柱１６及び断熱部材２０Ａの間の隙間にも施すようにしてもよく、このように防水処理を施すことによって、雨水の浸入をより確実に防止することができる。
【００４４】
このようなユニット壁体２Ａは、和風建築物、例えば和風家屋の壁体として好都合に適用することができ、プレート状壁体２６の表面（リブ４０，４８が突出する側）にセメントモルタルを塗ることができる。第１の実施形態のものと同様に、ユニット壁体２Ａは、例えば和風建築物の隣接する柱（例えば、通柱、管柱）の間に取り付けられ、プレート状壁体２６を建築物の外側となるようにし、建築物の外側からユニット枠体４が上記柱の空間に嵌め込まれ、釘などを用いてこの柱に固定される。
【００４５】
その後  建造物の外面に露出しているプレート状壁体２６の表面にセメントモルタルを塗り、このセメントモルタルをプレート状壁体２６の開口を通してその内側に塗り込むようにする。かくすると、セメントモルタルがこれら開口を通して断熱部材２０Ａの凹溝７４内に入り込み、塗ったセメントモルタルはこれら開口及びリブ４０，４８に支持されてプレート状壁体２６と一体的になって建築物の外壁を構成し、ユニット壁体２Ａを用いて簡単な施工でもってセメントモルタルの外壁とすることができる。この形態では、断熱部材２０Ａの凹溝７４が底面に向けて外側に拡がっているので、図１１から理解されるように、塗り込まれたセメントモルタルが凹溝７４の他側面に食い込むように塗り込まれ、これによって、塗ったセメントモルタルをより確実にプレート状壁体２６に塗り付けることができる。
【００４６】
以上、本発明に従うユニット壁体の一実施形態について説明したが、本発明はかかる実施形態に限定されるものではなく、本発明の範囲を逸脱することなく種々の変形乃至修正が可能である。
【００４７】
例えば、第１及び第２の実施形態では、プレート状壁体２６を上下方向及び横方向に分割した４つプレート状壁部材２８，３０，５２，５４から構成しているが、必ずしもこのように構成する必要はなく、例えば上下方向に３分割、横方向に２分割した６つのプレート状壁部材から構成するようにしてもよく、或いは、例えば上下方向に２分割、横方向に３分割した６つのプレート状壁部材から構成するようにしてもよい。
【００４８】
また、例えば、第１の実施形態では、板状部材２２とユニット枠体４及び断熱部材２０との間に透湿防水性シート２４を介在させているが、このような構成に代えて、透湿防水性シートを表面に貼り付けた断熱部材をユニット枠体４に取り付けるようにしてもよい。
【図面の簡単な説明】
【００４９】
【図１】一実施形態のユニット壁体を示す正面図。
【図２】図１のユニット枠体の背面図。
【図３】図１におけるＩＩＩ−ＩＩＩ線による断面図。
【図４】図１のユニット壁体のプレート状壁体として用いる固定プレートを示す図。
【図５】図１のユニット壁体のプレート状壁体として用いる調整プレートを示す図。
【図６】図１のユニット壁体を建築物に取り付けた状態を簡略的に示す図。
【図７】第２の実施形態のユニット壁体を示す正面図。
【図８】図７のユニット枠体の背面図。
【図９】図７におけるＩＸ−ＩＸ線による断面図。
【図１０】図７のユニット壁体のプレート状壁体及び断熱部材の一部を示す図。
【図１１】断熱部材の一部を拡大して示す断面図。
【符号の説明】
【００５０】
２，２Ａ  ユニット壁体
４  ユニット枠体
６，８  縦部材
１０，１２  横部材
１４  筋違
１６  間柱
２０，２０Ａ  断熱部材
２２  板状部材
２４，８２  透湿防水性シート
２６  プレート状壁体
２８，３０，５２，５４  プレート状壁部材
３６，３８，４６，５６，５８  開口
４０，４８  リブ
【図１】
2006097454.tif 000003
【図２】
2006097454.tif 000004
【図３】
2006097454.tif 000005
【図４】
2006097454.tif 000006
【図５】
2006097454.tif 000007
【図６】
2006097454.tif 000008
【図７】
2006097454.tif 000009
【図８】
2006097454.tif 000010
【図９】
2006097454.tif 000011
【図１０】
2006097454.tif 000012
【図１１】
2006097454.tif 000013